(57)【特許請求の範囲】
【請求項１】
時間とともにピークレベルの周波数が任意に変動する入力信号を受けて、同調周波数が掃引可能な該入力信号を選択するためのバンドパスフィルタで構成されるプリセレクタ（２）と、
周波数掃引可能な局部発振器（３）を有し、前記プリセレクタからの出力と混合して中間周波数信号に変換する周波数変換部（１５）と、
前記中間周波数信号を受けて検波して出力する検波器（７）と、
前記検波器の出力をデジタルデータに変換するＡ／Ｄ変換器（８）と、
前記プリセレクタの同調周波数及び前記局部発振器の出力周波数を所定掃引時間で掃引するための掃引信号を送出する掃引部（４）と、
前記掃引部から前記プリセレクタに送出される掃引信号に加えて前記プリセレクタを制御するためのプリセレクタ制御信号を出力する制御信号発生部（１２）と、
校正時には、前記プリセレクタ制御信号の値を前記掃引毎に所定ステップで変え、かつその掃引毎に前記Ａ／Ｄ変換器が出力するデジタルデータから前記掃引時間における前記プリセレクタ制御信号の制御電圧対電力の積算値の特性を算出するとともに、前記特性の電力値の少なくとも１点からプリセレクタ制御信号の値を決定し、測定時には、前記決定された値のプリセレクタ制御信号を前記制御信号発生部に出力させる測定制御部（１１）とを備え、
前記掃引部からの掃引信号に前記決定された値のプリセレクタ制御信号を加えた信号で制御された前記プリセレクタにより前記時間とともにピークレベルの周波数が任意に変動する入力信号を受信することを特徴とする受信装置。
【請求項２】
時間とともにピークレベルの周波数が任意に変動する入力信号を受けて、同調周波数が掃引可能な該入力信号を選択するためのバンドパスフィルタで構成されるプリセレクタ（２）と、
周波数掃引可能な局部発振器（３）を有し、前記プリセレクタからの出力と混合して中間周波数信号に変換する周波数変換部（１５）と、
前記中間周波数信号を受けて検波して出力する検波器（７）と、
前記検波器の出力をデジタルデータに変換するＡ／Ｄ変換器（８）と、
前記プリセレクタの同調周波数及び前記局部発振器の出力周波数を所定掃引時間で掃引するための掃引信号を送出する掃引部（４）と、
前記掃引部から前記プリセレクタに送出される掃引信号に加えて前記プリセレクタを制御するためのプリセレクタ制御信号を出力する制御信号発生部（１２）と、
校正時には、前記プリセレクタ制御信号の値を前記掃引毎に所定ステップで変え、かつその掃引毎に前記Ａ／Ｄ変換器が出力するデジタルデータから前記掃引時間における前記プリセレクタ制御信号の制御電圧対電力の平均値の特性を算出するとともに、前記特性の電力値の少なくとも１点からプリセレクタ制御信号の値を決定し、測定時には、前記決定された値のプリセレクタ制御信号を前記制御信号発生部に出力させる測定制御部（１１）とを備え、
前記掃引部からの掃引信号に前記決定された値のプリセレクタ制御信号を加えた信号で制御された前記プリセレクタにより前記時間とともにピークレベルの周波数が任意に変動する入力信号を受信することを特徴とする受信装置。
【請求項３】
請求項１または２の受信装置において、前記測定制御部（１１）は、設定された所望の受信周波数範囲を前記掃引部（４）に掃引させることを特徴とする受信装置。
【請求項４】
請求項１または２の受信装置において、前記測定制御部（１１）は、設定された１ポイントの所望の受信周波数を前記掃引時間の間維持するよう前記掃引部（４）を制御することを特徴とする受信装置。
【請求項５】
請求項１または２の受信装置において、前記測定制御部（１１）は、前記特性値が特性値分布の最大値になるようなプリセレクタ制御信号の値を決定することを特徴とする受信装置。
【請求項６】
請求項１または２の受信装置において、前記測定制御部（１１）は、特性値分布の最大値から所定値だけ下がった値を示す２点間の中間をプリセレクタ制御信号の値として決定することを特徴とする受信装置。
【請求項７】
請求項１の受信装置において、前記測定制御部（１１）は、
校正時には、前記プリセレクタ制御信号の値を前記掃引毎に所定ステップで変えるＹＴＦ制御手段（１１ｅ）と、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の積算値の特性を算出する積算値演算手段（１１ｂ）と、
前記特性値が特性値分布の最大値になるようなプリセレクタ制御信号の値を決定するピーク検出手段（１１ｃ）とを有し、
さらに、前記ＹＴＦ制御手段は、測定時には、前記決定された値のプリセレクタ制御信号を前記制御信号発生部（１２）に出力させることを特徴とする受信装置。
【請求項８】
請求項１の受信装置において、前記測定制御部（１１）は、
校正時には、前記プリセレクタ制御信号の値を前記掃引毎に所定ステップで変えるＹＴＦ制御手段（１１ｅ）と、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の積算値の特性を算出する積算値演算手段（１１ｂ）と、
特性値分布の最大値から所定値だけ下がった値を示す２点間の中間をプリセレクタ制御信号の値として決定する中間値演算手段（１１ｄ）とを有し、
さらに、前記ＹＴＦ制御手段は、測定時には、前記決定された値のプリセレクタ制御信号を前記制御信号発生部（１２）に出力させることを特徴とする受信装置。
【請求項９】
請求項２の受信装置において、前記測定制御部（１１）は、
校正時には、前記プリセレクタ制御信号の値を前記掃引毎に所定ステップで変えるＹＴＦ制御手段（１１ｅ）と、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の平均値の特性を算出する平均値演算手段（１１ｂ）と、
前記特性値が特性値分布の最大値になるようなプリセレクタ制御信号の値を決定するピーク検出手段（１１ｃ）とを有し、
さらに、前記ＹＴＦ制御手段は、測定時には、前記決定された値のプリセレクタ制御信号を前記制御信号発生部（１２）に出力させることを特徴とする受信装置。
【請求項１０】
請求項２の受信装置において、前記測定制御部（１１）は、
校正時には、前記プリセレクタ制御信号の値を前記掃引毎に所定ステップで変えるＹＴＦ制御手段（１１ｅ）と、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の平均値の特性を算出する平均値演算手段（１１ｂ）と、
特性値分布の最大値から所定値だけ下がった値を示す２点間の中間をプリセレクタ制御信号の値として決定する中間値演算手段（１１ｄ）とを有し、
さらに、前記ＹＴＦ制御手段は、測定時には、前記決定された値のプリセレクタ制御信号を前記制御信号発生部（１２）に出力させることを特徴とする受信装置。
【発明の詳細な説明】
【０００１】
【発明の属する技術分野】
本発明は、例えばＷ−ＣＤＭＡ等の変調波の入力信号に対しても正確に同調させて受信することができる受信装置に関する。
【０００２】
【従来の技術】
外部から入力される被測定信号を分析し解析してスペクトラムを表示する信号分析装置（スペクトラムアナライザ）には、本来の信号（被測定信号）の他にイメージレスポンスなどの原因となる不要信号の受信を防ぐため、入力回路に可変同調バンドパスフィルタ（プリセレクタ）であるＹＴＦを装備している。図３はこの種の信号分析装置の基本構成を示している。
【０００３】
図３の信号分析装置２１において、入力端子２２から入力された被測定信号は、プリセレクタとしてのＹＴＦ２３を通った後、信号混合器（ミキサ）２４で局部発振器２５からの信号と混合され中間周波数信号（ＩＦ信号）に変換される。このＩＦ信号は、ＩＦフィルタ２６で帯域制限を受けた後、検波器２７で検波され、その検波出力は表示部２８に縦軸信号として入力される。また、表示部２８の横軸信号としては、掃引信号発生器２９の出力信号が入力される。その結果、表示器２８には被測定信号に含まれる各周波数成分の大きさ（強度）が横軸を周波数、縦軸を振幅とする周波数ドメインで表示される。
【０００４】
なお、局部発振器２５の周波数を固定し、そのときの周波数スペクトラムの時間変動を観測することもできる。この場合、表示器２８の表示画面はタイムドメイン（横軸を時間、縦軸を振幅）で表示される。周波数ドメイン、タイムドメインのいずれのドメインで測定するかは、表示パネルからの条件設定で決定される。
【０００５】
プリセレクタとしてのＹＴＦ２３は、マイクロ波周波数帯で磁気共鳴する素子であり、ＹＩＧ(Yttrium Iron Garnet) 単結晶の直流磁場を直線的に変化させたときに共鳴する周波数が直線的に変化する特性を利用した掃引バンドパスフィルタである。
【０００６】
ところで、ＹＴＦを用いて被測定信号の波形を観測する場合、ＹＴＦのヒステリシスが主な原因で被測定信号に対してＹＴＦの中心が合わずにずれるトラッキングエラー（同調ずれ）を起こし、信号のロスが生じてレベル測定精度の劣化を招くという問題がある。
【０００７】
この問題を解決する為、従来は次の２つの方法を取っていた。周波数ドメインでプリセレクタ同調機能を行う場合、プリセレクタ同調機能が実行されると、表示器２８に表示されている被測定信号（プリセレクタが同調しようとする信号）を周波数ドメインの状態で、第１Ｄ／Ａ変換器３０ａのＤ／Ａの値を設定して掃引の開始位置の周波数を決定し、表示器２８の中心周波数になる様追い込み処理を行い、被測定信号周波数に対応した局部発振周波数を検出する。その後、検出した局部発振周波数を中心にした所定の周波数掃引範囲を掃引する掃引信号が掃引信号発生器２９から局部発振器２５及びＹＴＦ２３、表示器２８に送られる。この状態は中心周波数が追い込み処理で追い込んだ被測定信号周波数で所定の掃引周波数である通常の掃引であり、この掃引を所定回数行う。この時、各掃引毎に第２Ｄ／Ａ変換器３０ｂのＤ／Ａの値を所定のステップで変化させる。この動作は掃引毎にＹＴＦの同調周波数のみを変えている事となり、ＹＴＦの同調周波数がＹＴＦ通過帯域幅のピークの時、表示される被測定信号のレベルがピークとなる。このピークになる第２Ｄ／Ａ変換器３０ｂのＤ／Ａの値を検出して、最終的にその値を第２Ｄ／Ａ変換器３０ｂに設定し同調を行っていた。
【０００８】
これに対し、タイムドメインでプリセレクタ同調機能を行う場合、プリセレクタ同調機能が実行されると、タイムドメインの状態で、第１Ｄ／Ａ変換器３０ａのＤ／Ａの値を設定して掃引の開始位置の周波数を決定し、表示器２８に表示されている被測定信号（プリセレクタが同調しようとする信号）を表示器２８の中心周波数になる様追い込み処理を行い、被測定信号周波数に対応した局部発振周波数を検出する。その後、検出した局部発振周波数を局部発振器２５に設定し、検出した局部発振周波数に対応した受信周波数をＹＴＦ２３に設定し、掃引信号発生器２９からの掃引信号は表示器２８のみに送られる通常のタイムドメインの掃引を所定回数行う。この時、各掃引毎に第２Ｄ／Ａ変換器３０ｂのＤ／Ａの値を所定のステップで変化させる。この動作は、掃引毎にＹＴＦ２３の同調周波数のみを変えている事となり、ＹＴＦ２３の同調周波数がＹＴＦ通過帯域幅のピークの時、表示される被測定信号のレベルがピークとなる。このピークになる第２Ｄ／Ａ変換器３０ｂのＤ／Ａの値を検出して、周波数ドメインでプリセレクタ同調を行うのと同様に、その値を第２Ｄ／Ａ変換器３０ｂに設定し同調を行っていた。
【０００９】
但し、上述した方式は、被測定信号のピークレベル周波数が時間に対し変化しないＣＷ信号のみでしか有効でなかった。
【００１０】
【発明が解決しようとする課題】
ところで、近年では、移動体の通信システムにＣＤＭＡ(Code Division Multiple Access) 方式や広帯域ＣＤＭＡ（Ｗ−ＣＤＭＡ）等の変調信号が用いられており、この種の変調信号は、ＣＷ信号とは異なり、時間とともにピークレベルの周波数が任意に変動する。このため、上述した従来のピークレベルを検出する方法により変調信号の測定を行って信号分析を行うような場合、ピークレベル周波数が変動する変調信号に対してＹＴＦを正確に同調させることができず、誤った測定を行うおそれがあった。
【００１１】
そこで、本発明は、上記問題点に鑑みてなされたものであり、例えばＣＤＭＡ等のような変調信号に対しても正確に同調させることができるプリセレクタ同調装置及び信号分析装置を提供することを目的としている。
【００１２】
【課題を解決するための手段】
上記目的を達成するため、請求項１の発明は、時間とともにピークレベルの周波数が任意に変動する入力信号を受けて、同調周波数が掃引可能な該入力信号を選択するためのバンドパスフィルタで構成されるプリセレクタ２と、
周波数掃引可能な局部発振器３を有し、前記プリセレクタからの出力と混合して中間周波数信号に変換する周波数変換部１５と、
前記中間周波数信号を受けて検波して出力する検波器７と、
前記検波器の出力をデジタルデータに変換するＡ／Ｄ変換器８と、
前記プリセレクタの同調周波数及び前記局部発振器の出力周波数を所定掃引時間で掃引するための掃引信号を送出する掃引部４と、
前記掃引部から前記プリセレクタに送出される掃引信号に加えて前記プリセレクタを制御するためのプリセレクタ制御信号を出力する制御信号発生部１２と、
校正時には、前記プリセレクタ制御信号の値を前記掃引毎に所定ステップで変え、かつその掃引毎に前記Ａ／Ｄ変換器が出力するデジタルデータから前記掃引時間における前記プリセレクタ制御信号の制御電圧対電力の積算値の特性を算出するとともに、前記特性の電力値の少なくとも１点からプリセレクタ制御信号の値を決定し、測定時には、前記決定された値のプリセレクタ制御信号を前記制御信号発生部に出力させる測定制御部１１とを備え、
前記掃引部からの掃引信号に前記決定された値のプリセレクタ制御信号を加えた信号で制御された前記プリセレクタにより前記時間とともにピークレベルの周波数が任意に変動する入力信号を受信することを特徴とする。
【００１３】
請求項２の発明は、時間とともにピークレベルの周波数が任意に変動する入力信号を受けて、同調周波数が掃引可能な該入力信号を選択するためのバンドパスフィルタで構成されるプリセレクタ２と、
周波数掃引可能な局部発振器３を有し、前記プリセレクタからの出力と混合して中間周波数信号に変換する周波数変換部１５と、
前記中間周波数信号を受けて検波して出力する検波器７と、
前記検波器の出力をデジタルデータに変換するＡ／Ｄ変換器８と、
前記プリセレクタの同調周波数及び前記局部発振器の出力周波数を所定掃引時間で掃引するための掃引信号を送出する掃引部４と、
前記掃引部から前記プリセレクタに送出される掃引信号に加えて前記プリセレクタを制御するためのプリセレクタ制御信号を出力する制御信号発生部１２と、
校正時には、前記プリセレクタ制御信号の値を前記掃引毎に所定ステップで変え、かつその掃引毎に前記Ａ／Ｄ変換器が出力するデジタルデータから前記掃引時間における前記プリセレクタ制御信号の制御電圧対電力の平均値の特性を算出するとともに、前記特性の電力値の少なくとも１点からプリセレクタ制御信号の値を決定し、測定時には、前記決定された値のプリセレクタ制御信号を前記制御信号発生部に出力させる測定制御部１１とを備え、
前記掃引部からの掃引信号に前記決定された値のプリセレクタ制御信号を加えた信号で制御された前記プリセレクタにより前記時間とともにピークレベルの周波数が任意に変動する入力信号を受信することを特徴とする。
【００１４】
請求項３の発明は、請求項１または２の受信装置において、前記測定制御部１１は、設定された所望の受信周波数範囲を前記掃引部４に掃引させることを特徴とする。
【００１５】
請求項４の発明は、請求項１または２の受信装置において、前記測定制御部１１は、設定された１ポイントの所望の受信周波数を前記掃引時間の間維持するよう前記掃引部４を制御することを特徴とする。
【００１６】
請求項５の発明は、請求項１または２の受信装置において、前記測定制御部１１は、前記特性値が特性値分布の最大値になるようなプリセレクタ制御信号の値を決定することを特徴とする。
【００１７】
請求項６の発明は、請求項１または２の受信装置において、前記測定制御部１１は、特性値分布の最大値から所定値だけ下がった値を示す２点間の中間をプリセレクタ制御信号の値として決定することを特徴とする。
【００１８】
請求項７の発明は、請求項１の受信装置において、前記測定制御部１１は、
校正時には、前記プリセレクタ制御信号の値を前記掃引毎に所定ステップで変えるＹＴＦ制御手段１１ｅと、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の積算値の特性を算出する積算値演算手段１１ｂと、
前記特性値が特性値分布の最大値になるようなプリセレクタ制御信号の値を決定するピーク検出手段１１ｃとを有し、
さらに、前記ＹＴＦ制御手段は、測定時には、前記決定された値のプリセレクタ制御信号を前記制御信号発生部１２に出力させることを特徴とする。
【００１９】
請求項８の発明は、請求項１の受信装置において、前記測定制御部１１は、
校正時には、前記プリセレクタ制御信号の値を前記掃引毎に所定ステップで変えるＹＴＦ制御手段１１ｅと、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の積算値の特性を算出する積算値演算手段１１ｂと、
特性値分布の最大値から所定値だけ下がった値を示す２点間の中間をプリセレクタ制御信号の値として決定する中間値演算手段１１ｄとを有し、
さらに、前記ＹＴＦ制御手段は、測定時には、前記決定された値のプリセレクタ制御信号を前記制御信号発生部１２に出力させることを特徴とする。
請求項９の発明は、請求項２の受信装置において、前記測定制御部１１は、
校正時には、前記プリセレクタ制御信号の値を前記掃引毎に所定ステップで変えるＹＴＦ制御手段１１ｅと、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の平均値の特性を算出する平均値演算手段１１ｂと、
前記特性値が特性値分布の最大値になるようなプリセレクタ制御信号の値を決定するピーク検出手段１１ｃとを有し、
さらに、前記ＹＴＦ制御手段は、測定時には、前記決定された値のプリセレクタ制御信号を前記制御信号発生部１２に出力させることを特徴とする。
請求項１０の発明は、請求項２の受信装置において、前記測定制御部１１は、
校正時には、前記プリセレクタ制御信号の値を前記掃引毎に所定ステップで変えるＹＴＦ制御手段１１ｅと、
前記ＹＴＦ制御手段により前記プリセレクタ制御信号の値が変えられて掃引される毎に、前記Ａ／Ｄ変換器が出力するデジタルデータから前記掃引時間における前記プリセレクタ制御信号の制御電圧対電力の平均値の特性を算出する平均値演算手段１１ｂと、
特性値分布の最大値から所定値だけ下がった値を示す２点間の中間をプリセレクタ制御信号の値として決定する中間値演算手段１１ｄとを有し、
さらに、前記ＹＴＦ制御手段は、測定時には、前記決定された値のプリセレクタ制御信号を前記制御信号発生部１２に出力させることを特徴とする。
【００２０】
【発明の実施の形態】
図１は本発明によるプリセレクタ同調装置を含む信号分析装置のブロック図、図２は同調時のＤ／Ａの設定値を求める手順を説明するための図である。
【００２１】
本例の信号分析装置１は、ＹＴＦ２、局部発振器３、掃引部４、信号混合器５、ＩＦフィルタ６、検波器７、Ａ／Ｄ変換器８、記憶部（波形メモリ）９、表示部１０、測定制御部１１、第１Ｄ／Ａ変換器１２ａと第２Ｄ／Ａ変換器１２ｂを備えた制御信号発生部としてのＤ／Ａ変換部１２、加算部１３、Ｖ／Ｉ変換部１４により概略構成される。なお、局部発振器３と信号混合器５とＩＦフィルタ６とにより、外部から入力される被測定信号を中間周波数信号に変換して帯域制限する周波数変換部１５を構成している。
【００２２】
プリセレクタとしてのＹＴＦ２は、前述したように、マイクロ波周波数帯で磁気共鳴する素子であり、ＹＩＧ(Yttrium Iron Garnet) 単結晶の直流磁場を直線的に変化させたときに共鳴する周波数が直線的に変化する特性を利用した掃引バンドパスフィルタである。
【００２３】
局部発振器３は、周波数ドメインの状態において、掃引信号発生器４からの掃引信号により所定の周波数範囲にわたって発振周波数が掃引（周波数掃引）される。これに対し、タイムドメインの状態では、掃引部４からの掃引信号は局部発振器３に送られず、局部発振器３が固定の発振周波数に設定される。
【００２４】
掃引部４は、被測定信号に対してＹＴＦ２を自動的に同調させるプリセレクタ自動同調機能が実行されると、ＹＴＦ２の同調周波数及び局部発振器３の出力周波数を所定掃引時間で掃引するための掃引信号（電圧信号）をＹＴＦ２及び局部発振器３のそれぞれに出力している。
【００２５】
更に説明すると、掃引部４は、周波数ドメインの状態において、局部発振器３の発振周波数を所定の周波数範囲にわたって掃引するべく掃引信号を局部発振器３に入力し、局部発振器３の発振周波数を可変している。これに対し、タイムドメインの状態では、局部発振器３の発振周波数が固定となるように局部発振器３の発振周波数を設定している。また同時に、掃引部４は、掃引信号を加算部１３の第１加算器１３ａに入力している。
【００２６】
信号混合器５は、ＹＴＦ２を通過した信号と、局部発振器３からの発振周波数とを混合し、中間周波数信号（ＩＦ信号）に変換してＩＦフィルタ６に入力している。バンドパスフィルタからなるＩＦフィルタ６では、信号混合器５からのＩＦ信号を所定の周波数幅に帯域制限して通過させている。検波器７は、ＩＦフィルタ６を通過した中間周波数信号を受けて検波し、Ａ／Ｄ変換器８に出力している。
【００２７】
Ａ／Ｄ変換器８は、検波器７が検波した信号をデジタルデータに変換している。記憶部９は、Ａ／Ｄ変換器８によって変換されたデジタルデータ（波形データ）を格納している。なお、この記憶部９には、プリセレクタ自動同調機能による校正モード時に、Ｄ／Ａ変換部１２の第２Ｄ／Ａ変換器１２ｂの入力値が掃引毎に可変されると、掃引時間における第２Ｄ／Ａ変換器１２ｂの各入力値毎の電力値がデジタルデータとして格納される。
【００２８】
表示部１０には、記憶部９に格納されたデジタルデータ（電力値）が縦軸信号として入力され、掃引部４の掃引信号が横軸信号として入力される。すなわち、表示部１０では、周波数ドメインの状態において、表示画面上の横軸を周波数目盛りとし、縦軸を被測定信号に含まれる各周波数成分の大きさ（強度）として波形を表示している。また、表示部１０は、タイムドメインの状態において、表示画面上の横軸を時間目盛りとし、縦軸を被測定信号に含まれる周波数成分の大きさとして波形を表示している。
【００２９】
測定制御部１１は、設定手段１１ａ、積算値／平均値演算手段１１ｂ、ピーク検出手段１１ｃ、中間値演算手段１１ｄ、ＹＴＦ制御手段１１ｅを備えて構成される。この測定制御部１１の演算及び制御に関する部分は、例えばＣＰＵなどのマイクロプロセッサで実現することができる。
【００３０】
設定手段１１ａは、図示はしないが、表示部１０に表示される設定画面において、ユーザの操作により掃引の開始位置の周波数の値、受信周波数範囲、掃引時間、１ポイントの受信周波数等の設定、プリセレクタ同調機能の実行の有無の設定、後述する校正時にＹＴＦ２の通過帯域のピーク又はＹＴＦ２の通過帯域の中心のいずれに同調させるかを選択する設定等を行っている。
【００３１】
積算値／平均値演算手段１１ｂは、ＹＴＦ２に入力されるプリセレクタ制御信号の値を掃引部４の掃引毎に変え、その掃引毎にＡ／Ｄ変換器８が出力するデジタルデータから掃引時間における特性値を算出している。なお、ここでいう特性値とは、掃引時間における積算値、又は掃引時間における平均値である。
【００３２】
更に説明すると、積算値／平均値演算手段１１ｂは、周波数ドメインの状態において、Ｄ／Ａ変換部１２の第２Ｄ／Ａ変換器１２ｂの入力値（制御電圧値）αが所定ステップで可変制御された際に、各掃引毎に周波数掃引範囲で検波器７により検波されて記憶部９に格納されたデジタルデータに基づいて図２に示すような第２Ｄ／Ａ変換器１２ｂの各入力値の電力の積算値の分布を演算している。
【００３３】
また、積算値／平均値演算手段１１ｂは、タイムドメインの状態において、Ｄ／Ａ変換部１２の第２Ｄ／Ａ変換器１２ｂの入力値（制御電圧値）αが可変制御された際に、各掃引毎に時間軸掃引範囲で検波器７により検波されて記憶部９に格納されたデジタルデータに基づいて図２に示すような第２Ｄ／Ａ変換器１２ｂの各入力値の平均電力の分布を演算している。
【００３４】
ピーク検出手段１１ｃは、周波数ドメインの状態でＹＴＦ２の通過帯域のピークに同調させる場合、積算値／平均値演算手段１１ｂによって演算されたＤ／Ａ変換部１２の第２Ｄ／Ａ変換器１２ｂの各入力値（制御電圧値）αに対する電力の積算値の分布から電力の積算値がピークとなる入力値（制御電圧値）α０を演算している。
【００３５】
また、ピーク検出手段１１ｃは、タイムドメインの状態でＹＴＦ２の通過帯域のピークに同調させる場合、積算値／平均値演算手段１１ｂによって演算されたＤ／Ａ変換部１２の第２Ｄ／Ａ変換器１２ｂの各入力値（制御電圧値）αに対する平均電力の分布から平均電力がピークとなる入力値（制御電圧値）α０を演算している。
【００３６】
中間値演算手段１１ｄは、周波数ドメインの状態においてＹＴＦ２の通過帯域の中心に同調させる場合、ピーク検出手段１１ｃによって求めた入力値α０から３ｄＢ又は６ｄＢレベルが落ちる２点の入力値α１，α２の中間値となる入力値（α１＋α２）／２を中間制御値として演算している。この演算は、タイムドメインの状態においてＹＴＦ２の通過帯域の中心に同調させる場合にも同様に行われる。
【００３７】
ＹＴＦ制御手段１１ｅは、プリセレクタ自動同調機能が実行されたときに、設定手段１１ａにより設定された情報（掃引時間、掃引開始周波数、掃引周波数範囲）に基づいて掃引の開始位置の周波数を決めるための制御データをＤ／Ａ変換部１２の第１Ｄ／Ａ変換器１２ａに出力する制御、第２Ｄ／Ａ変換器１２ｂの入力値を所定ステップで可変するように第２Ｄ／Ａ変換器１２ｂに制御データを出力する制御、後述する校正モード時に演算された最適な入力値（α又はα０又は（α１＋α２）／２）の出力となるように第２Ｄ／Ａ変換器１２ｂに制御データを出力する制御を行っている。
【００３８】
なお、上記測定制御部１１は、周波数ドメインの状態において、設定された所望の受信周波数範囲を掃引するように掃引部４を制御している。また、タイムドメインの状態においては、設定された１ポイントの所望の受信周波数を掃引時間の間維持するように掃引部４を制御している。
【００３９】
Ｄ／Ａ変換部１２は、第１Ｄ／Ａ変換器１２ａと第２Ｄ／Ａ変換器１２ｂを備えている。第１Ｄ／Ａ変換器１２ａは、ＹＴＦ制御手段１１ｅから入力される掃引の開始位置の周波数を決めるための制御データをプリセレクタ制御信号（電圧信号）に変換して加算部１３の第１加算器１３ａに出力している。第２Ｄ／Ａ変換器１２ｂは、ＹＴＦ制御部１１から入力される同調させるための補正データをプリセレクタ制御信号（電圧信号）に変換して加算部１３の第２加算器１３ｂに出力している。
【００４０】
加算部１３は、第１加算器１３ａと第２加算器１３ｂを備えている。第１加算器１３ａは、掃引信号発生器４からの掃引信号とＤ／Ａ変換部１２の第１Ｄ／Ａ変換器１２ａからのプリセレクタ制御信号とを加算して第２加算器１３ｂに出力している。第２加算器１３ｂは、第１加算器１３ａからの加算信号とＤ／Ａ変換部１２の第２Ｄ／Ａ変換器１２ｂからのプリセレクタ制御信号とを加算してＶ／Ｉ変換部１４に出力している。
【００４１】
Ｖ／Ｉ変換部１４は、加算部１３の第２加算器１３ｂから入力される信号（電圧信号）を電流信号に変換し、この変換された電流信号によりＹＴＦ２の同調周波数を可変制御している。
【００４２】
次に、上記構成による信号分析装置の動作を、図１及び図２を参照しながら校正モードの場合と測定モードの場合とに分けて説明する。
【００４３】
校正モードでは、プリセレクタ同調機能を実行し、以下に説明するように、ＹＴＦ２の通過帯域のピークが被測定信号の周波数に同調するように、又はＹＴＦ２の通過帯域の中心が被測定信号の周波数に同調するように、ＹＴＦ２の同調周波数が制御される。
【００４４】
校正モードとしては、表示部８の表示画面上に横軸を周波数、縦軸を振幅として被測定信号の波形を表示する周波数ドメインの状態と、表示部８の表示画面上に横軸を時間、縦軸を振幅として被測定信号の波形を表示するタイムドメインの状態とがあり、それぞれの場合の信号処理手順について説明する。
【００４５】
まず、周波数ドメインの状態では、設定手段１１ａにより掃引時間、掃引開始周波数、掃引周波数範囲等が設定されると、Ｄ／Ａ変換部１２の第１Ｄ／Ａ変換器１２ａにＹＴＦ制御手段１１ｅから掃引開始周波数に相当する制御データが入力され、その第１Ｄ／Ａ変換器１２ａの出力によりＹＴＦ２を制御する。
【００４６】
一方、ＹＴＦ制御手段１１ｅは、Ｄ／Ａ変換部１２の第２Ｄ／Ａ変換器１２ｂの入力値を既知の範囲でα１、α２、…といったように所定ステップずつ掃引毎に強制的に変化させる。これにより、ＹＴＦ２の同調周波数は、第１Ｄ／Ａ変換器１２ａの出力、第２Ｄ／Ａ変換器１２ｂの出力、掃引部４の掃引信号をそれぞれ加算して電流信号に変換した信号により可変制御される。
【００４７】
そして、上記のようにＹＴＦ２の同調周波数が可変制御されると、ＹＴＦ２を通過した被測定信号は、周波数変換部１５を介して検波器７により検波され、Ａ／Ｄ変換器８により変換されたデジタルデータが記憶部９に格納される。
【００４８】
以上のようにして、第２Ｄ／Ａ変換器１２ｂの入力値が既知の範囲で可変制御されると、記憶部９には、第２Ｄ／Ａ変換器１２ｂの入力値αを０から所定ステップずつ可変したときの各掃引毎の周波数掃引範囲のデジタルデータが格納される。
【００４９】
その後、積算値／平均値演算手段１１ｂは、記憶部９に格納されたデジタルデータに基づいて第２Ｄ／Ａ変換器１２ｂの入力値α毎の電力の積算値又は平均値を算出する。次に、その入力値αを横軸とし、電力の積算値又は平均値を縦軸とした入力値α（特許請求の範囲に記載のプリセレクタ制御信号）対電力の特性を求める。この例を図２に示す。そして、ＹＴＦ２の通過帯域のピークに同調させる場合、ピーク検出手段１１ｃが各入力値αに対する電力の積算値の分布から電力の積算値がピークとなる入力値α０を演算して求める。校正モードを終了し、測定モードにしたときは、入力値α０をＹＴＦ制御手段１１ｅが第２Ｄ／Ａ変換器１２ｂに制御電圧として出力する。これにより、測定時には第２Ｄ／Ａ変換器１２ｂの入力値がα０に設定され、その後、測定モードの動作に移行し、記憶部９に格納されたデジタルデータを基に被測定信号のスペクトラムの分析がなされる。
【００５０】
ＹＴＦ２の通過帯域の中心に同調させる場合は、図２に示すように、上記演算によって求めた入力値α０から３ｄＢ又は６ｄＢレベルが落ちる２点の入力値α１，α２の中間値（α１＋α２）／２を中間値演算手段１１ｄが演算して求める。これで校正モードを終了し、測定モードにしたとき、この演算した中間値の入力値（α１＋α２）／２をＹＴＦ制御手段１１ｅが第２Ｄ／Ａ変換器１２ｂに制御電圧として出力する。これにより、第２Ｄ／Ａ変換器１２ｂの入力値が（α１＋α２）／２に設定され、その後、測定モードの動作に移行し、記憶部９に格納されたデジタルデータを基に被測定信号のスペクトラムの分析がなされる。
【００５１】
次に、タイムドメインで校正の状態では、設定手段１１ａにより掃引時間、掃引開始周波数（測定周波数）等が設定されると（タイムドメインの場合は、測定周波数は掃引されず１波のみで、時間軸のみ掃引される。測定周波数信号の時間変化が観測される）、Ｄ／Ａ変換部１２の第１Ｄ／Ａ変換器１２ａにＹＴＦ制御手段１１ｅから掃引開始周波数に相当する制御データが入力されて第１Ｄ／Ａ変換器１２ａの入力値が制御される。
【００５２】
一方、ＹＴＦ制御手段１１ｅは、Ｄ／Ａ変換部１２の第２Ｄ／Ａ変換器１２ｂの入力値を既知の範囲でα１、α２、…といったように所定ステップずつ掃引毎に強制的に変化させる。これにより、ＹＴＦ２の同調周波数は、第１Ｄ／Ａ変換器１２ａの出力、第２Ｄ／Ａ変換器１２ｂの出力、掃引部４の掃引信号（タイムドメインの場合は固定値又は０である）をそれぞれ加算して電流信号に変換した信号により可変制御される。
【００５３】
そして、上記のようにＹＴＦ２の同調周波数が可変制御されると、ＹＴＦ２を通過した被測定信号は、周波数変換部１５を介して検波器７により検波され、Ａ／Ｄ変換器８により変換されたデジタルデータが記憶部９に格納される。
【００５４】
以上のようにして、第２Ｄ／Ａ変換器１２ｂの入力値が既知の範囲で可変制御されると、記憶部９には、第２Ｄ／Ａ変換器１２ｂの入力値αを０から所定ステップずつ可変したときの各掃引毎の時間軸掃引範囲のデジタルデータが格納される。
【００５５】
その後、積算値／平均値演算手段１１ｂは、記憶部９に格納されたデジタルデータに基づいて第２Ｄ／Ａ変換器１２ｂの入力値α毎の電力の積算値又は平均値を算出する。次に、その入力値αを横軸とし、電力の積算値又は平均値を縦軸とした入力値α（特許請求の範囲に記載のプリセレクタ制御信号）対電力の特性を求める。この例を図２に示す。そして、ＹＴＦ２の通過帯域のピークに同調させる場合、ピーク検出手段１１ｃが各入力値αに対する平均電力値の分布から平均電力値がピークとなる入力値α０を演算して求める。校正モードを終了し、測定モードにしたときは、入力値α０をＹＴＦ制御手段１１ｅが第２Ｄ／Ａ変換器１２ｂに制御電圧として出力する。これにより、測定時には第２Ｄ／Ａ変換器１２ｂの入力値がα０に設定され、その後、測定モードの動作に移行し、記憶部９に格納されたデジタルデータを基に被測定信号のスペクトラムの時間変化分析がなされる。
【００５６】
ＹＴＦ２の通過帯域の中心に同調させる場合は、図２に示すように、上記演算によって求めた入力値α０から３ｄＢ又は６ｄＢレベルが落ちる２点の入力値α１，α２の中間値（α１＋α２）／２を中間値演算手段１１ｄが演算して求める。これで校正モードを終了し、測定モードにしたとき、この演算した中間値の入力値（α１＋α２）／２をＹＴＦ制御手段１１ｅが第２Ｄ／Ａ変換器１２ｂに制御電圧として出力する。これにより、第２Ｄ／Ａ変換器１２ｂの入力値が（α１＋α２）／２に設定され、その後、測定モードの動作に移行し、記憶部９に格納されたデジタルデータを基に被測定信号のスペクトラムの時間変化分析がなされる。
【００５７】
次に、上述した校正モードから測定モードに移行すると、ＹＴＦ２は、上述した校正モード時の設定に基づくＶ／Ｉ変換部１４からの電流信号により、その同調周波数が通過帯域のピーク又は通過帯域の中心に同調制御される。そして、図１の入力端子１５から入力された被測定信号は、ＹＴＦ２を通過した後、信号混合器５で局部発振器３からの信号と混合され、中間周波数信号（ＩＦ信号）に変換される。このＩＦ信号は、ＩＦフィルタ６で帯域制限を受ける。その後、検波器７で検波され、Ａ／Ｄ変換器８でデジタルデータに変換される。このデジタルデータは、波形データとして記憶部９に格納され、表示部１０の縦軸信号として入力される。
【００５８】
表示部１０の横軸信号としては、掃引部４の出力信号が入力される。そして、周波数ドメインの状態において、表示部１０には被測定信号に含まれる各周波数成分の大きさ（強度）を縦軸とし、横軸を周波数目盛りとして表示される。また、タイムドメインの状態において、表示部１０には被測定信号に含まれる測定周波数成分の大きさ（強度）を縦軸とし、横軸を時間目盛りとして表示される。
【００５９】
このように、本実施の形態では、ＹＴＦ２の通過帯域のピークに同調させる場合には、第２Ｄ／Ａ変換器１２ｂに設定される各入力値に対する電力の積算値（又は平均電力）の分布から電力の積算値（又は平均電力）がピークとなる入力値を演算し、この演算した入力値に基づいてＹＴＦ２の同調周波数を制御している。また、ＹＴＦ２の通過帯域の中心に同調させる場合には、上記演算した電力の積算値（又は平均電力）がピークとなる入力値から３ｄＢ又は６ｄＢレベルが落ちる２点の入力値の中間値に基づいてＹＴＦ２の同調周波数を制御している。その結果、例えばＷ−ＣＤＭＡ等のように信号ピークレベルの周波数が時間の経過とともに変化する変調信号に対してもプリセレクタを正確に同調させることができる。しかも、ＹＴＦの通過帯域の中心に正確に同調できるので、プリセレクタを使用する周波数帯の変調解析の誤差改善にもつながる。
【００６０】
なお、第２Ｄ／Ａ変換器１２ｂに設定される入力値を基準として説明してきたが、それが換算可能な、例えば、第２Ｄ／Ａ変換器１２ｂの出力、又はＹＴＦ２の制御値直接の値を基準として説明される構成は、本発明の範囲である。
【００６１】
また、上記実施の形態では、外部から入力される被測定信号を分析し解析してスペクトラムを表示する信号分析装置を例にとって説明したが、例えば雑音測定等のＥＭＩ試験装置に使用することもできる。
【００６２】
【発明の効果】
以上の説明で明らかなように、本発明によれば、例えばＷ−ＣＤＭＡ等のような時間の経過とともにピークレベルの周波数が変動する信号変調信号に対してもプリセレクタを正確に同調させることができる。しかも、ＹＴＦの通過帯域の中心に正確に同調できるので、プリセレクタを使用する周波数帯の変調解析の誤差改善にもつながる。
【図面の簡単な説明】
【図１】本発明によるプリセレクタ同調装置を含む信号分析装置のブロック図
【図２】同調時のＤ／Ａの設定値を求める手順を説明するための図
【図３】信号分析装置の基本構成を示す図
【符号の説明】
１…信号分析装置、２…ＹＴＦ（プリセレクタ）、３…局部発振器、４…掃引部、７…検波器、８…Ａ／Ｄ変換器、１１…測定制御部、１２…Ｄ／Ａ変換部（制御信号発生部）、１５…周波数変換部。
【図１】
0003901908.tif 000002
【図２】
0003901908.tif 000003
【図３】
0003901908.tif 000004